(57)【要約】【課題】手をルーパー糸に触れることなく開閉カバーを安全且つ容易に開けることのできるミシンのカバー開閉装置を提供する。【解決手段】ルーパーの周辺に形成されるミシンベッド５の開口空間部に開閉カバー１０をヒンジ回りに開閉回動可能に取り付ける。開閉カバー１０の自由端側１０Ｂとミシンベッド５側との間に、開閉カバー１０を開き付勢する開き付勢用ばね部材２０と、該ばね部材２０による開き付勢力に抗して開閉カバー１０を閉じ位置に保持する閉じロック機構２１を設ける。閉じロック機構２１は開閉カバー１０の自由端側に設けられたロック孔２６と、ミシンベッド５側に設けられロック孔２６に係脱可能なフック部２７ａを有する操作レバー２７とを備える。操作レバー２７は枢軸を中心として揺動可能に設け、かつ一端部に前記フック部を、他端部に押圧ボタン２７ｂをそれぞれ設ける。操作レバー２７には回動付勢用ばね部材３１を備える。【選択図】図５
2009268725.tif 000002
【特許請求の範囲】
【請求項１】
ミシンベッドにルーパーが収容される開口空間部が設けられ、該開口空間部を開閉する開閉カバーが前記ミシンベッドにヒンジを回転中心として前記開口空間部を閉じる位置と開く位置とに亘って開閉回動可能に取り付けられたミシンのカバー開閉装置において、前記開閉カバーのヒンジと反対側の自由端側と前記ミシンベッド側との間に、前記開閉カバーを常に開き付勢する開き付勢用ばね部材と、該ばね部材による開き付勢力に抗して前記開閉カバーを閉じ位置に保持する閉じロック機構を設けており、前記閉じロック機構は前記開閉カバーの自由端側またはミシンベッド側のうちいずれか一方に設けられたロック孔と、もう一方に設けられ前記ロック孔に係脱可能なフック部を有する操作レバーとを備え、前記操作レバーは枢軸を中心として揺動可能に設け、かつ作用点となる一端部に前記フック部を、力点となる他端部に押圧ボタンを前記開閉カバーの自由端側またはミシンベッド側の外部に露出するようにそれぞれ設け、前記操作レバーにはフック部がロック孔に対し係合するよう操作レバーを常に回動付勢する回動付勢用ばね部材を備えていることを特徴とする、ミシンのカバー開閉装置。
【請求項２】
前記開閉カバーの自由端側と前記ミシンベッド側との間に、前記開閉カバーの自由端側の振動を吸収緩和する防振ゴムを備えた防振手段を設けている、請求項１記載のミシンのカバー開閉装置。
【発明の詳細な説明】
【技術分野】
【０００１】
本発明はミシンのカバー開閉装置に係り、更に詳しくは、ルーパーの周辺に形成されるミシンベッドの開口空間部を開閉する開閉カバーを、ルーパーに通されたルーパー糸に手を引っ掛ける危惧なく安全かつ容易に開けることができるようにしたミシンのカバー開閉装置に関する。
【背景技術】
【０００２】
この種のミシンのカバー開閉装置として、例えば、特許文献１に記載されたようなものがある。そこでは、ルーパーの周辺に形成されるミシンベッドの前面側の開口空間部を開閉カバー（特許文献１では「クロスプレート」という）で開閉するものとする。開閉カバーはミシンベッドに対し支軸回りに開閉回動可能に取り付けられ、そして開閉カバーの支軸とは反対側の自由端側の内部下面に固着された板ばねを、ミシンベッド側に植設された係止ピンに係合させることで開閉カバーの閉じ状態が保持され、開閉カバーを開くには前記板ばねの先端の指掛け部を押すことで前記板ばねの前記係止ピンとの係合が解除し、これにより開閉カバーを支軸回りに回動させて前記開口空間部を開けることができるように構成されている。
【０００３】
【特許文献１】特開平５−３３７２８０号公報
【発明の開示】
【発明が解決しようとする課題】
【０００４】
しかしながら、上記従来のミシンのカバー開閉装置では、ルーパーにルーパー糸を通す時などに開閉カバーを開ける際、手を開閉カバーの手前側から開閉カバー内部に差し入れて板ばねの指掛け部を押さなければならず、このとき手が既に他のルーパーに通されているルーパー糸に触れたり、引っ掛けたりするため、ルーパー糸を引きちぎり易いという問題があった。
【０００５】
本発明は、上記のような問題を解決するためになされたもので、その目的とするところは、開閉カバーの開き操作を開閉カバーの外側でかつ開閉カバーを自動的に半開き可能にすることにより手をルーパー糸に触れることなく開閉カバーを安全且つ容易に開けることのできるミシンのカバー開閉装置を提供することにある。
【課題を解決するための手段】
【０００６】
本発明に係るミシンのカバー開閉装置は、請求項１に記載のように、図１〜図１３に付した符号を参照して説明すると、ミシンベッド５にルーパー６が収容される開口空間部Ｓが設けられ、該開口空間部Ｓを開閉する開閉カバー１０がミシンベッド５にヒンジ１８を回転中心として開口空間部Ｓを閉じる位置と開く位置とに亘って開閉回動可能に取り付けられたミシンのカバー開閉装置において、開閉カバー１０のヒンジ１８と反対側の自由端側１０Ｂとミシンベッド５側との間に、開閉カバー１０を常に開き付勢する開き付勢用ばね部材２０と、該ばね部材２０による開き付勢力に抗して開閉カバー１０を閉じ位置に保持する閉じロック機構２１を設けており、閉じロック機構２１は開閉カバー１０の自由端側１０Ｂまたはミシンベッド５側のうちいずれか一方に設けられたロック孔２６と、もう一方に設けられロック孔２６に係脱可能なフック部２７ａを有する操作レバー２７とを備え、操作レバー２７は枢軸３０を中心として揺動可能に設け、かつ作用点となる一端部に前記フック部２７ａを、力点となる他端部に押圧ボタン２７ｂを開閉カバー１０の自由端側１０Ｂまたはミシンベッド５側の外部に露出するようにそれぞれ設け、操作レバー２７にはフック部２７ａがロック孔２６に対し係合するよう操作レバー２７を常に回動付勢する回動付勢用ばね部材３１を備えていることに特徴を有するものである。
【０００７】
上記構成のミシンのカバー開閉装置において、開閉カバー１０を開けるときは、操作レバー２７の押圧ボタン２７ｂを押圧操作するが、この押圧ボタン２７ｂは開閉カバー１０の自由端側１０Ｂまたはミシンベッド５側の外部に露出しているため、このとき押圧ボタン２７ｂを操作する手が開閉カバー１０内のルーパー６に通されたルーパー糸Ｔに触れるのを回避できる。また、そのように押圧ボタン２７ｂの押圧操作で操作レバー２７を揺動させてフック部２７ａをロック孔２６から離脱させると、開き付勢用ばね部材２０の付勢力により開閉カバー１０が自動的に半開きしてルーパー６から離反するため、この後開閉カバー１０に手を掛けて開閉カバー１０を全開するときにもその手がルーパー６に通されたルーパー糸Ｔに触れるのを防止できる。
【０００８】
請求項１記載のミシンのカバー開閉装置は、請求項２に記載のように、開閉カバー１０の自由端側１０Ｂとミシンベッド５側との間に、開閉カバー１０の振動を吸収緩和する防振ゴム３３，３５を備えた防振手段３２を設けることができる。これによると、開閉カバー１０の振動を確実に吸収緩和することができる。
【発明の効果】
【０００９】
本発明によれば、開閉カバーの開き操作を開閉カバーの外側でかつ開閉カバーを自動的に半開き可能にすることができるので、開閉カバーを開くとき手をルーパー糸に触れてルーパー糸を引きちぎるような恐れなく開閉カバーを安全且つ容易に開けることができて有利である。
【発明を実施するための最良の形態】
【００１０】
本発明に係るミシンのカバー開閉装置の好適な実施形態を図面に基づいて説明する。図１は本発明を適用した二重環縫いミシンの外観斜視図を、開閉カバーの閉じ状態で示し、図２は同ミシンの外観斜視図を、開閉カバーの半開き状態で示し、図３は同ミシンのミシンベッドの断面図、図４はカバー開閉装置の分解斜視図、図５は開閉カバーの自由端側を閉じ状態で示す斜視図、図６は開閉カバーの自由端側を半開き状態で示す斜視図、図７は開閉カバーの防振手段部分の断面図、図８は開閉カバーの自由端側を閉じ状態で示す平面図、図９は開閉カバーの自由端側を半開き状態で示す平面図、図１０は開閉カバーの自由端側を閉じ状態で示す透視図、図１１は開閉カバーの自由端側を半開き状態で示す透視図、図１２はカバー開閉装置の閉じロック機構の断面図であって、（ａ）はロック状態を、（ｂ）はロック解除状態をそれぞれ示し、図１３はカバー開閉装置の閉じロック機構の断面図であって、（ａ）はロック直前状態を、（ｂ）はロック途中の状態をそれぞれ示している。
【００１１】
本発明を適用した二重環縫いミシンは、図１に示すように、ミシンアーム１の先端部に上下の軸受（図示省略する）を介して上下方向に往復運動可能に支持された針棒（図示省略する）の下端部に針株２を介して多数の針３が取り付けられている。ミシンアーム１の基端下部の右外側位置にはミシンプーリ４が設けられるとともに、ミシンアーム１の基端下部には該ミシンアーム１に対して平行状態で左側方へ向けてミシンベッド５が延設されている。このミシンベッド５の先端部には、図３に示すように、上面及び前後面を開放する開口空間部Ｓが形成されている。この開口空間部Ｓに後述するルーパー６や図外の生地送り機構等の縫いを構成する部品が収容される。
【００１２】
開口空間部Ｓの開口後面は後カバー（図示せず）で、開放上面の後半部は上カバー７で、開放上面の前半部及び開放前面は本発明の対象とする開閉カバー１０でそれぞれ覆われる。上カバー７には針板１１等が設けられる。
【００１３】
図２、図３に示すように、ミシンベッド５の開口空間部Ｓ内にはルーパー駆動軸１２が生地送り方向（後方向）Ｙに直交させて往復駆動回転可能に支承され、このルーパー駆動軸１２に、多数の針３に対応した多数のルーパー６の各基端部６Ａがルーパー台１３を介して取付けられており、針３の上下往復運動に同期するルーパー駆動軸１２の往復駆動回転に伴いルーパー６が、ルーパー糸通し孔１４を有する先端部６Ｂ側を基端部６Ａよりも上位にして開口空間部Ｓの内部で生地送り方向Ｙの所定の揺動範囲に亘って往復駆動揺動されるように構成されている。この往復駆動揺動されるルーパー６と、針３の上下往復運動に同期して生地送り方向Ｙと直交する左右方向に往復運動するスプレッダー軸１５に取付けられてルーパー６のルーパー糸Ｔを引っ掛けて針糸方向に寄せるスプレッダー１６とで所定の二重環縫いが行なわれる。
【００１４】
次に、開閉カバー１０の開閉装置について説明する。図１、図４〜図７に示すように、開閉カバー１０の固定側端部（左端部）１０Ａはミシンベッド５の先端側壁面５Ｓに近傍の前側外部にボルト１７等で固定したヒンジ１８にヒンジ軸１９を介して枢支連結され、これにより開閉カバー１０はヒンジ軸１９を回転中心として開口空間部Ｓの開放上面の前半部及び開放前面を閉じる位置（図１、図５参照）と開く位置（図２、図６参照）とに亘って前後方向に開閉回動可能に取り付けられる。
【００１５】
図４、図５、図１２（ａ）に示すように、開閉カバー１０のヒンジ１８と反対側の自由端側（右端側）１０Ｂとミシンベッド５側の上カバー７との間には開閉カバー１０を常に開き付勢するための開き付勢用ばね部材２０と、該ばね部材２０による開き付勢力に抗して開閉カバー１０を閉じ位置に保持する閉じロック機構２１とを設ける。開き付勢用ばね部材２０はＶ形状に形成され、その一端の腕部２０ａを開閉カバー１０にボルト２２等で固定する一方、他端の腕部２０ｂをミシンベッド５側の上カバー７の前端面に付設したばね受壁部２３に押圧当接し、この押圧当接作用により開閉カバー１０は常に開き方向（前方向）に回動付勢される。
【００１６】
図４、図５、図１２（ａ）に示すように、閉じロック機構２１は、開閉カバー１０の自由端側１０Ｂの下面にボルト２４等で固定されたロック板２５に開口したロック孔２６と、ミシンベッド５側の上カバー７に設けられロック孔２６に対し係脱可能なフック部２７ａを有する梃式の操作レバー２７とを備える。操作レバー２７はミシンベッド５側の上カバー７にボルト２８等で固定されるレバー支持台２９に枢軸３０を中心として上下揺動可能に枢着される。操作レバー２７の作用点となる先端部には前記フック部２７ａを、力点となる後端部には押圧ボタン２７ｂをミシンベッド５側の上カバー７の外部に露出するようにそれぞれ設けている。押圧ボタン２７ｂは図１２（ａ）に示すように上カバー７の上面から少し突出させるか、または図１４に示すように上カバー７の上面と面一になるように設ける。操作レバー２７の枢軸３０にはねじりコイルばね等からなる回動付勢用ばね部材３１を巻装し、操作レバー２７は常に該ばね部材３１の弾発力によりフック部２７ａがロック孔２６に係合する方向に枢軸３０回りに回動付勢されている。
【００１７】
図４、図７に示すように、開閉カバー１０の自由端側１０Ｂとミシンベッド５側の上カバー７の前端面との間には、開閉カバー１０の振動を吸収緩和するための防振手段３２を上記開き付勢用ばね部材２０と並べて設けている。防振手段３２は、開閉カバー１０の主として前後振動を吸収緩和するための防振ゴム３３を備えた防振ねじ３４と、開閉カバー１０の主として上下振動を吸収緩和するための防振ゴム３５を備えた防振ゴムブラケット３６を備える。防振ねじ３４は基端部を開閉カバー１０側にナット３７等で締付け固定して先端に防振ゴム３３を備えており、開閉カバー１０を閉じると防振ゴム３３がミシンベッド５の前端面に当接するようにしている。防振ゴムブラケット３６は開閉カバー１０にボルト３８等で固定して先端に防振ゴム３５を備えており、開閉カバー１０を閉じると防振ゴム３５がミシンベッド５側の上カバー７に設けている上記ばね受壁部２３の下面に当接するようにしている。
【００１８】
次に、カバー開閉装置の作動について説明する。
開閉カバー１０が閉じている状態では、図８、図１０に示すように、開き付勢用ばね部材２０の腕部２０ｂがミシンベッド５側のばね受壁部２３に押圧当接することで開閉カバー１０は開き方向に付勢されているが、図１２（ａ）に示すように、閉じロック機構２１の操作レバー２７のフック部２７ａがロック孔２６に係合していることで開き付勢用ばね部材２０による開き付勢力に抗して開閉カバー１０が閉じ位置にロック保持されている。
【００１９】
ルーパー６にルーパー糸を通すとき等において開閉カバー１０を開くには、図１２（ｂ）に示すように、押圧ボタン２７ｂを押圧操作して操作レバー２７を回動付勢用ばね部材３１の弾力に抗して枢軸３０回りに揺動させることでフック部２７ａがロック孔２６から離脱する。すると、図９、図１１に示すように、開閉カバー１０は開き付勢用ばね部材２０による開き付勢作用によりヒンジ１８回りに或る角度だけ自動的に半開きする。半開き後は開閉カバー１０を手で手前側に引っ張って全開させる。
【００２０】
上記のように押圧ボタン２７ｂを押圧操作するとき、この押圧ボタン２７ｂはミシンベッド５側の外部に露出しているので、このとき押圧ボタン２７ｂを操作する手が開閉カバー１０内のルーパー６に通されたルーパー糸Ｔに触れるのを回避できる。また、開き付勢用ばね部材２０の付勢力により開閉カバー１０が自動的に半開きすると、開閉カバー１０はルーパー６から離反するため、この後開閉カバー１０に手を掛けて開閉カバー１０を全開するときにもその手がルーパー６に通されたルーパー糸Ｔに触れるのを防止できる。したがって、開閉カバー１０を開くとき手をルーパー糸Ｔに触れてルーパー糸Ｔを引きちぎるような恐れなく開閉カバー１０を安全且つ容易に開けることができる。
【００２１】
開閉カバー１０を閉じるには、開いている開閉カバー１０の自由端側を後方へ押し戻すと図１３（ａ）に示すようにロック板２５の後端部が操作レバー２７のフック部２７ａに設けているテーパ２７ｃに当接し、更に開閉カバー１０を後方へ押すことで図１３（ｂ）に示すようにロック板２５の後端部がテーパ２７ｃを滑って操作レバー１０を一旦回動付勢用ばね部材３１の弾力に抗して反ロック方向に回動させ、フック部２７ａがロック孔２６に合致する時点で操作レバー１０が回動付勢用ばね部材３１による回動付勢力でロック方向に回動することでフック部２７ａがロック孔２６に係合して元の閉じ位置にロック保持できる。
【００２２】
上記実施例では、閉じロック機構２１において、操作レバー２７をミシンベッド５側、即ち上カバー７に、ロック孔２６を開閉カバー１０側にそれぞれ設けているが、それとは反対に、操作レバー２７を開閉カバー１０側に、ロック孔２６をミシンベッド５側、即ち上カバー７にそれぞれ設けることもできる。この場合、操作レバー２７の押圧ボタン２７ｂは開閉カバー１０の外部に露出するように設ける。
また、上記実施例では、ミシンベッド５が上カバー７を備えているミシンを対象とするが、本発明はミシンベッド５に上カバー７を備えていないミシンにも適用できる。
更に、上記実施例ではルーパー６は立振りルーパーであるが、横振りルーパーにも同様に適用でき、また二重環縫いミシン以外に、ルーパーを備えたミシンであれば、どのようなミシンに適用しても同様な効果を奏することができることは言うまでもない。
【図面の簡単な説明】
【００２３】
【図１】本発明を適用した二重環縫いミシンの外観斜視図を、開閉カバーの閉じ状態で示す。
【図２】同ミシンの外観斜視図を、開閉カバーの半開き状態で示す。
【図３】同ミシンのミシンベッドの断面図である。
【図４】カバー開閉装置の分解斜視図である。
【図５】開閉カバーの自由端側を閉じ状態で示す斜視図である。
【図６】開閉カバーの自由端側を半開き状態で示す斜視図である。
【図７】開閉カバーの防振手段部分の断面図である。
【図８】開閉カバーの自由端側を閉じ状態で示す平面図である。
【図９】開閉カバーの自由端側を半開き状態で示す平面図である。
【図１０】開閉カバーの自由端側を閉じ状態で示す透視図である。
【図１１】開閉カバーの自由端側を半開き状態で示す透視図である。
【図１２】カバー開閉装置の閉じロック機構の断面図であって、（ａ）はロック状態を、（ｂ）はロック解除状態をそれぞれ示す。
【図１３】カバー開閉装置の閉じロック機構の断面図であって、（ａ）はロック直前状態を、（ｂ）はロック途中の状態をそれぞれ示す。
【図１４】他の実施例のカバー開閉装置の閉じロック機構を、図１２（ａ）に相応して示す断面図である。
【符号の説明】
【００２４】
５  ミシンベッド
６ ルーパー
１０  開閉カバー
１０Ｂ  開閉カバーの自由端側
１８  ヒンジ
２０  開き付勢用ばね部材
２１  閉じロック機構
２６  ロック孔
２７  操作レバー
２７ａ  フック部
２７ｂ  押圧ボタン
３０  枢軸
３１  回動付勢用ばね部材
３２  防振手段
３３，３５  防振ゴム
【図１】
2009268725.tif 000003
【図２】
2009268725.tif 000004
【図３】
2009268725.tif 000005
【図４】
2009268725.tif 000006
【図５】
2009268725.tif 000007
【図６】
2009268725.tif 000008
【図７】
2009268725.tif 000009
【図８】
2009268725.tif 000010
【図９】
2009268725.tif 000011
【図１０】
2009268725.tif 000012
【図１１】
2009268725.tif 000013
【図１２】
2009268725.tif 000014
【図１３】
2009268725.tif 000015
【図１４】
2009268725.tif 000016